(57)【要約】本発明は、少なくとも１つの第１のサイド部分、中央部分及び第２のサイド部分を有する誘導性コンポーネント用のコアに関するものであって、中央部分が中央セクション、中央セクションに対して平行に配置された第１の端縁セクション及び中央セクションに対して平行に配置された第２の端縁セクションを有しており、中央セクションが第１と第２の端縁セクションの間に配置されており、それにおいて少なくとも１つのプラスチックコンポーネントが設けられており、そのプラスチックコンポーネントは、誘導性コンポーネントの浮遊容量を調節し、かつ誘導性コンポーネントの磁気的分流を調節するために、少なくとも中央セクションと第１の端縁セクションの間、かつ／又は中央セクションと第２の端縁セクションとの間に設けられている。【選択図】図１
2021512500.tif 000002
【特許請求の範囲】
【請求項１】
少なくとも１つの第１のサイド部分、中央部分及び第２のサイド部分を有する誘導性コンポーネント用のコアであって、前記中央部分が、中央セクション、前記中央セクションに対して平行に配置された第１の端縁セクションと、前記中央セクションに対して平行に配置された第２の端縁セクションとを有しており、前記中央セクションが前記第１の端縁セクションと前記第２の端縁セクションの間に配置されている、ものにおいて、
少なくとも１つのプラスチックコンポーネントが設けられており、前記プラスチックコンポーネントが、誘導性コンポーネントの浮遊容量を調節し、かつ誘導性コンポーネントの磁気的な分流を調節するために、少なくとも前記中央セクションと前記第１の端縁セクションとの間に、かつ／又は少なくとも前記中央セクションと前記第２の端縁セクションとの間に、設けられている、ことを特徴とする誘導性コンポーネント用のコア。
【請求項２】
前記プラスチックコンポーネントの誘電率が、１から５０の範囲内に、特に１から１０の範囲内にある、ことを特徴とする請求項１に記載のコア。
【請求項３】
前記プラスチックコンポーネントが、透磁率の小さいプラスチックから形成されている、ことを特徴とする請求項１又は２の少なくとも１項に記載のコア。
【請求項４】
前記プラスチックコンポーネントが、シリコン、ポリアミド、イソプレン又はラテックスから形成されている、ことを特徴とする請求項１から３の少なくとも１項に記載のコア。
【請求項５】
プラスチックが、添加物として炭素、ガラス細粒、セラミック化合物及び／又はビスコースを含んでいる、ことを特徴とする請求項１から４のいずれか１項に記載のコア。
【請求項６】
前記プラスチックコンポーネントが、前記中央セクション、前記第１の端縁セクション及び前記第２の端縁セクションを互いに対して定められた相対位置に固定している、ことを特徴とする請求項１から５のいずれか１項に記載のコア。
【請求項７】
前記プラスチックコンポーネントが、前記中央部分の前記中央セクションを、前記中央セクションの長さの少なくとも一部にわたって包囲している、ことを特徴とする請求項１から６のいずれか１項に記載のコア。
【請求項８】
前記プラスチックコンポーネントが、プレート形状のウェブとして形成されており、前記ウェブが前記中央部分の前記中央セクション、前記第１の端縁セクション及び前記第２の端縁セクションに対して垂直に配置されており、かつ前記中央部分の前記中央セクション、前記第１の端縁セクション及び前記第２の端縁セクションを収容するための３つの透孔を有している、ことを特徴とする請求項１から７のいずれか１項に記載のコア。
【請求項９】
前記３つの透孔の第１のものが、前記中央部分の前記中央セクションの横断面に、前記３つの透孔の第２のものが、前記第１の端縁セクションの横断面に、そして前記３つの透孔の第３のものが、前記第２の端縁セクションの横断面に、適合されている、ことを特徴とする請求項８に記載のコア。
【請求項１０】
前記中央部分の前記中央セクション、前記第１の端縁セクション及び／又は前記第２の端縁セクションが、それぞれの透孔内に締めつけ固定されている、ことを特徴とする請求項９に記載のコア。
【請求項１１】
前記第１のサイド部分と前記第２のサイド部分が、一般的に、文字Ｅの形状に似た横断面を有している、ことを特徴とする請求項１から１０のいずれか１項に記載のコア。
【請求項１２】
前記第１のサイド部分と前記第２のサイド部分が、Ｅコア、ＰＱコア、ＥＴＤコア又はＲＭコアとして形成されている、ことを特徴とする請求項１１に記載のコア。
【請求項１３】
前記プラスチックコンポーネントがベースプレートを有しており、前記ベースプレートからプレート形状のウェブが垂直に張り出しており、前記ベースプレートは、前記コアの前記第１のサイド部分と前記第２のサイド部分を固定するために設けられている、ことを特徴とする請求項１から１２のいずれか１項に記載のコア。
【請求項１４】
前記ベースプレートのプレート形状のウェブとは逆の側に、固定手段、特に係止手段又はクリップ手段が設けられている、ことを特徴とする請求項１３に記載のコア。
【請求項１５】
請求項１から１４の少なくとも１項に記載のコアと、前記中央部分の前記中央セクションを少なくとも部分的に包囲する少なくとも１つのコイルとを有する誘導性コンポーネント。
【請求項１６】
前記誘導性コンポーネントの定められた共振周波数を得るために、前記プラスチックコンポーネントのプラスチックの誘電率が、コイルのインダクタンスに合わせられている、ことを特徴とする請求項１５に記載の誘導性コンポーネント。
【発明の詳細な説明】
【技術分野】
【０００１】
本発明は、少なくとも１つの第１のサイド部分、中央部分及び第２のサイド部分を有する誘導性コンポーネント用コアに関するものであり、その場合に中央部分は中央セクション、中央セクションに対して平行に配置された第１の端縁セクション及び中央セクションに対して平行に配置された第２の端縁セクションを有し、その場合に中央セクションが第１と第２の端縁セクションの間に配置されている。本発明は、本発明に係るコアを有する誘導性コンポーネントにも関する。
【背景技術】
【０００２】
誘導性コンポーネント用のコアは、多数の異なる形式で形成される。たとえばそのサイド部分が、一般的に、大文字Ｅの横断面形状を有するコアが、自動化して形成可能かつ加工可能である。この横断面形状の枠内で、サイド部分は特殊な幾何学的形態を有することができ、その場合にたとえばＥコア、ＰＱコア、ＥＴＤコア、ＲＭコアなどと称される。しかるべきサイド部分に比較的長いコイルを巻き付けようとする場合に、使用される中央部分は、通常、その背側において互いに添接する２つのサイド部分の形状を有する。その場合にこの種の中央部分においては、たとえば真円筒形状に形成された中央セクション、中央セクションに対して平行に配置された第１の端縁セクション及び第２の端縁セクションが設けられており、その第２の端縁セクションは第１の端縁セクションに対して対称に構成されており、かつ同様に中央セクションに対して平行に配置されている。この種の中央部分が、この種のコアを有する誘導性コンポーネントが受ける、たとえば重力加速度の１０倍にもなる、著しい機械的負荷に耐えることができるようにするために、中央部分において、第１の端縁セクション、中央セクション及び第２の端縁セクションを中央ウェブによって互いに結合することができる。この種の中央ウェブは、中央部分及び２つの端縁セクションと一体的に形成されるので、中央部分が安定したユニットを形成し、かつ機械的にサイド部分と同じ強さで耐えることができる。磁気的な観点においては、中央ウェブは分路を形成する。誘導性コンポーネントの２つのコイルの間に、浮遊容量が生じる。
【発明の概要】
【発明が解決しようとする課題】
【０００３】
本発明によって、自動化して形成することができ、かつ加工することができる、誘導性コンポーネント用のコアと誘導性コンポーネントを改良しようとしている。
【課題を解決するための手段】
【０００４】
そのために本発明によれば、請求項１の特徴を有するコアが設けられる。本発明の好ましい展開が、下位請求項から明らかにされる。
【０００５】
本発明に係る誘導性コンポーネント用のコアは、少なくとも１つの第１のサイド部分、中央部分及び第２のサイド部分を有し、その場合に中央部分が中央セクション、中央セクションに対して平行に配置された第１の端縁セクション及び中央セクションに対して平行に配置された第２の端縁セクションを有しており、その場合に中央セクションが第１と第２の端縁セクションの間に配置されている。少なくとも１つのプラスチックコンポーネントが設けられており、そのプラスチックコンポーネントは、誘導性コンポーネントの浮遊容量を調節し、かつ誘導性コンポーネントの磁気的分流を調節するために、少なくとも中央セクションと第１の端縁セクションとの間、かつ／又は少なくとも中央セクションと第２の端縁セクションとの間に設けられている。
【０００６】
したがってプラスチックコンポーネントを設けることによって、本発明に係るコアを有する誘導性コンポーネントの電気的特性及び、きわめて具体的には、共振周波数を調節することができる。これは、プラスチックコンポーネントのために使用されるプラスチックの誘電率Ｅｒを適切に選択することによって行われる。中央セクションがフェライトウェブによって第１の端縁セクション及び第２の端縁セクションと結合されている、誘導性コンポーネントのための従来のコアに比較して、中央セクションから両方の端縁セクションへの磁気的な分流も実質的に減少させることができ、かつプラスチックコンポーネントの材料を適切に選択した場合には、特に完全に阻止することができる。さらに、プラスチックコンポーネントはもちろん、中央セクションと第１の端縁セクション及び第２の端縁セクションの間に機械的結合を形成し、かつそれに関して位置決めメンバーとして作用することにより、コアの機械的安定性ももたらすことができる。
【０００７】
本発明の展開において、プラスチックコンポーネントの誘電率Ｅｒは１から５０の領域内、特に１から１０の領域内にある。
【０００８】
このようにして、本発明に係るコアを有する誘導性コンポーネントの浮遊容量は、広い限界内で調節することができ、したがってこの種の誘導性コンポーネントの共振周波数も広い限界内で変化させることができる。
【０００９】
本発明の展開において、プラスチックコンポーネントは第１の端縁セクションと第２の端縁セクションを互いに対して定められた相対位置に固定する。
【００１０】
このようにして中央セクションと２つの端縁セクションは互いに対して確実に固定することができ、それによって高い機械的負荷にも耐えることができる。中央セクションと２つの端縁セクションを互いに対して定められた相対位置に固定することは、本発明に係るコアを誘導性コンポーネントに自動的に加工することも許す。
【００１１】
本発明の展開において、プラスチックコンポーネントは中央部分の中央セクションを、中央セクションの長さの少なくとも一部にわたって包囲する。
【００１２】
このようにして中央セクションの安定した機械的固定も得ることができる。
【００１３】
本発明の展開において、プラスチックコンポーネントは、磁気的透過性の小さいプラスチックから形成されている。
【００１４】
このようにしてプラスチックコンポーネントによる磁気的な分路を無視できることを、保証することができる。その場合に相対的な透磁率μｒは、１であり、あるいはほぼ１の領域内にある。
【００１５】
本発明の展開において、プラスチックコンポーネントはシリコン、ポリアミド、イソプレン又はラテックスから形成されている。
【００１６】
本発明の展開において、プラスチックコンポーネントのプラスチックは、添加物として炭素、ガラス細粒、セラミック化合物又はセラミックコンパウンド及び／又はビスコースを有している。プラスチックコンポーネントは、ひとつには、コアの高い機械的負荷能力をもたらし、それは従来のコアの一体的に形成された中央部分の機械的負荷能力に匹敵し、あるいは特にそれを上回る。本発明に係るコアの磁気的特性に関しては、磁気的分路はプラスチックコンポーネントによって完全に、あるいは少なくともほぼ完全に回避することができる。定められた磁気的分路が望ましい場合には、それぞれ使用されるプラスチックの選択に応じて、この磁気的分路の大きさを調節することができる。この種のコアもしくはこの種の誘導性コンポーネントの磁気的な特性に関して、本発明によって著しい改良が得られる。本発明に係るコアの電気的特性に関しては、適切なプラスチックを選択することによって、電気的特性も同様に定められたように調節することができる。プラスチックコンポーネントは、好ましくは射出成形、ホットメルト方法もしくは溶融接着方法によって形成することができる。
【００１７】
本発明の展開において、プラスチックコンポーネントはプレート形状のウェブとして形成されており、そのウェブは中央セクション、第１の端縁セクション及び第２の端縁セクションに対して垂直に配置されており、かつ中央セクション、第１の端縁セクション及び第２の端縁セクションを収容するための３つの透孔を有している。
【００１８】
このようにして中央セクション及び両方の端縁セクションは、きわめて簡単なやり方でプラスチックコンポーネントに取り付けることができる。特に中央部分の自動的な形成が可能である。
【００１９】
本発明の展開において、３つの透孔の第１のものは、中央部分の中央セクションの横断面に、３つの透孔の第２のものは、中央部分の第１の端縁セクションの横断面に、そして３つの透孔の第３のものは、中央部分の第２の端縁セクションの横断面に適合されている。
【００２０】
このようにして中央セクションと２つの端縁セクションは、プラスチックコンポーネント内に確実に固定することができる。
【００２１】
本発明の展開において、中央部分、第１の端縁セクション及び第２の端縁セクションは、プラスチックコンポーネントのそれぞれの透孔内に締めつけ固定されている。
【００２２】
このようにして、中央部分と２つの端縁セクションをプラスチックコンポーネント内に固定することは、中央部分と２つの端縁セクションをプラスチックコンポーネントの透孔内へ簡単に挿入することによって実現される。
【００２３】
本発明の展開において、第１のサイド部分と第２のサイド部分は、一般的に、文字Ｅに似た断面形状を有している。
【００２４】
コアのこの種のサイド部分は、たとえばＥコア、ＰＱコア、ＥＴＤコア、ＲＭコアなどと称され、その機械的、電気的及び磁気的な特性は、きわめて効果的である。この種のコアは、自動的に形成し、自動的に加工し、特に巻き付けて誘導性コンポーネントとして完成させることもできる。
【００２５】
本発明の展開において、プラスチックコンポーネントはベースプレートを有しており、そのベースプレートからプレート形状のウェブが張り出しており、その場合にベースプレートはコアの第１のサイド部分と第２のサイド部分を固定するために設けられている。
【００２６】
このようにしてプラスチックコンポーネントの位置決めメンバーとしての機能を用いて、中央セクションと２つの端縁セクションを有する中央部分だけでなく、コアの２つのサイド部分も固定することができる。これは特に、本発明に係るコアを有する誘導性コンポーネントを自動化して形成することに関して、きわめて効果的である。
【００２７】
本発明の展開において、ベースプレートのプレート形状のウェブとは逆の側に、固定手段、特に係止手段又はクリップ手段が設けられている。
【００２８】
この種の固定手段は、コアもしくは本発明に係るコアを有するできあがった誘導性コンポーネントを固定するために使用することができる。
【００２９】
本発明の基礎となる問題は、本発明に係るコアを有する誘導性コンポーネントによっても、解決され、その場合に誘導性コンポーネントは少なくとも１つのコイルを有しており、そのコイルが中央部分の中央セクションを少なくとも部分的に包囲している。
【００３０】
この種の誘導性コンポーネントは、従来のコアと機械的に同じ高さの負荷をかけることができるが、磁気的な観点においては、著しい利点を有しており、中央部分による磁気的な分路がもたらされず、あるいは磁気的な分路は、プラスチックコンポーネント用の材料を適切に選択することによって、定められたように調節することができる。さらに、誘導性コンポーネントは全自動化して形成することができる。
【００３１】
本発明の展開において、プラスチックコンポーネントのプラスチックの誘電率は、誘導性コンポーネントの定められた共振周波数を得るために、コイルのインダクタンスに合わせられている。
【００３２】
誘電率Ｅｒは、プラスチックコンポーネントのプラスチックの選択によって調節することができる。たとえばシリコンを使用する場合にはＥｒ＝２．９、ポリアミドを使用する場合にはＥｒ＝１．７、イソプレンを使用する場合にはＥｒ＝２．１、ラテックスを使用する場合にはＥｒ＝２４が得られる。プラスチックコンポーネントのプラスチックに、たとえば炭素、ガラス細粒、セラミック化合物（セラミックコンパウンド）又はビスコースのような添加物が設けられる場合に、プラスチックの誘電率はさらに広い領域内で調節することができる。たとえば炭素はＥｒ＝２．５、ガラス細粒はＥｒ＝４．０、セラミックコンパウンドはＥｒ＝１７そしてビスコースはＥｒ＝３４．５を有する。
【００３３】
したがって特に誘導性コンポーネントの電気的特性に関して、本発明は、従来の誘導性コンポーネントに比較していちじるしい利点を提供する。誘導性コンポーネントの共振周波数は、本発明に基づいて調節することができるので、誘導性コンポーネントの作業領域をフレキシブルに変化させることができる。
【００３４】
本発明の他の特徴と利点が、請求項から、そして図面に関連する本発明の好ましい実施形態についての以下の説明から明らかにされる。
【図面の簡単な説明】
【００３５】
【図１】図１は、本発明に係る誘導性コンポーネントを斜め上から示している。
【図２】図２は、図１の誘導性コンポーネントのコアを示している。
【図３】図３は、図２のコアを示しており、その場合にコアのプラスチックコンポーネントは取り去られている。
【図４】図４は、図１の誘導性コンポーネントを示しており、その場合にコアの中央部分のうちの中央セクションと２つの端縁セクションは示されていない。
【図５】図５は、図４の誘導性コンポーネントを示しており、その場合にコアのプラスチックコンポーネントは示されていない。
【図６】図６は、図２のコアの中央部分を示している。
【図７】図７は、図２のコアのプラスチックコンポーネントを示している。
【図８】図８は、図７のプラスチックコンポーネントのプレート形状のウェブを示している。
【図９】図９は、図８のプレート形状のウェブを前から示している。
【図１０】図１０は、図７のプラスチックコンポーネントのベースプレートを示している。
【図１１】図１１は、本発明に係る誘導性コンポーネントの簡略化した電気的等価回路を示している。
【発明を実施するための形態】
【００３６】
図１は、本発明に係る誘導性コンポーネント１０を斜め上から示している。誘導性コンポーネント１０は、コア１２と２つのコイル１４、１６を有している。２つのコイル１４、１６は、それぞれ矩形の横断面を有するフラットワイヤを巻いたものであって、その場合に矩形の横断面の幅狭側が２つのコイル１４、１６の中心長手軸を向いている。
【００３７】
コア１２は、第１のサイド部分１８、第２のサイド部分２０及び中央部分２２を有している。２つのサイド部分１８、２０は同一に形成されており、かついわゆるＰＱコアの形状を有している。横断面で見て（その場合に切断面は図１において、誘導性コンポーネント１０の半分の高さにおいて、かつ２つのコイル１４、１６の中心長手軸を含んで延びている）、２つのサイド部分１８、２９は大文字Ｅの横断面形状を有している。中央セクション２４は、真円筒状に形成されており、したがって２つのコイル１４、１６の内部形状に適合されている。２つの端縁セクション２６、２８は、それぞれ平坦な外側面と凸状に湾曲した内側面とを有しており、その内側面が２つのコイル１４、１６の外側形状に適合されている。
【００３８】
中央部分２２は、中央セクション３０及び第１の端縁セクション３２と第２の端縁セクション３４、そしてプラスチックコンポーネント３６を有している。２つの端縁セクション３２、３４は、互いに対して同一に形成されており、かつそれぞれ平坦な背側と凸状に湾曲した内側とを有している。凸状に湾曲した内側は、それぞれ２つのコイル１４、１６の外側形状に適合されている。２つの端縁セクション３２、３４は、それぞれ２つのサイド部分１８、２０の端縁セクション２６、２８を結合し、かつ実質的にその形状を継承している。図１には、端縁セクション３２、３４とサイド部分１８、２０は、簡略化して示されている。実際においては、端縁セクション３２、３４とサイド部分１８、２０の側面は、互いに整合し、したがって無段階で互いに移行することができる。
【００３９】
中央セクション３０は、真円筒状に形成されており、かつ２つのサイド部分１８、２０の中央セクション２４を結合している。
【００４０】
図１の誘導性コンポーネント１０のコア１２の表示が、図２において斜め上からの図で示されている。コア１２は、２つのサイド部分１８、２０と中央部分２２を有している。図２においてよくわかるように、中央部分２２が２つのサイド部分１８、２０を結合している。
【００４１】
２つのサイド部分１８、２０は、たとえばフェライト材料からなり、それぞれ一体的に形成されている。中央部分２２においては、中央セクション３０と２つの端縁セクション３２、３４が、フェライト材料からなる。プラスチックコンポーネント３６又は位置決めメンバーは、プラスチック、たとえばシリコン又はポリアミドからなる。
【００４２】
２つのサイド部分１８、２０と中央部分２２のそれぞれ互いに添接する端面の間には、測定可能なエアギャップは存在しない。というのは、２つのサイド部分１８、２９は、中央セクション３０もしくは第１の端縁セクション３２と第２の端縁セクション３４のそれぞれ対応づけられた端面上に載置されているからである。しかし磁気的な観点においては、それにもかかわらず小さいエアギャップが存在し、そのエアギャップはそれぞれの端面のわずかな凹凸によってもたらされる。誘導性コンポーネント１０の磁気的な特性を調節するために、２つのサイド部分１８、２０と中央部分２２の間に意識的にエアギャップを生じさせることもできる。２つのサイド部分と中央部分２２の間にプラスチック小プレートを挿入することによって形成されるギャップも、エアギャップと称される。
【００４３】
図３は、コア１２のフェライト材料からなるコンポーネント、すなわち２つのサイド部分１８、２０及び中央部分の中央セクション３０及び第１の端縁セクション３２と第２の端縁セクション３４のみを示している。
【００４４】
図４は、図１の誘導性コンポーネント１０を示しており、その場合に中央部分から中央セクションと第１の端縁セクション及び第２の端縁セクションが取り去られている。この図においてすでに認識されるように、プラスチックコンポーネント３６は、ベースプレート４０から垂直に張り出すプレート形状のウェブ３８を有している。プレート形状のウェブ３８も、ベースプレート４０も、プラスチックから形成されている。プレート形状のウェブ３８は、全部で３つの透孔４２、４４、４６を有している。第２の透孔４４は、真円筒状に形成されており、かつ中央セクション３０の横断面に適合されている。第１の透孔４２と第３の透孔４６は、第１の端縁セクション３２もしくは第２の端縁セクション３４の横断面に適合されている。
【００４５】
透孔４２、４４、４６はそれぞれ次のように、すなわち中央セクション３０が第２の透孔４４内に締めつけて収容され、第１の端縁セクション３２が第１の透孔４２内に締めつけて収容され、そして第２の端縁セクション３４が第３の透孔４６内に締めつけて収容されるように、形成されている；図１を参照。それによってプラスチックコンポーネント３６の位置決めメンバーとしての機能を用いて、中央セクション３０、第１の端縁セクション３２及び第２の端縁セクション３４は、互いに対して固定することができる。
【００４６】
ベースプレート４０は、また、２つのサイド部分１８、２０を互いに対して、かつコアの中央部分に対して、特にプラスチックコンポーネント３６のプレート形状のウェブ３８に対して、位置決めし、かつ固定するために、使用することができる。
【００４７】
ベースプレート４０の図４では見られない下側には、できあがった誘導性コンポーネントを支持体に、たとえばハウジング又は導体基板に、固定するために、固定手段、たとえば係止手段を設けることができる。
【００４８】
図５は、２つのコイル１４、１６を有する２つのサイド部分１８、２０のみを示している。コイル１４は、第１のサイド部分１８の中央セクションを部分的に包囲し、コイル１６は第２のサイド部分２０の中央セクションを部分的に包囲している。図５の表示においてよくわかるように、端縁セクション２６、２８の凸状に形成された内側が、コイル１４もしくは１６の外側形状に適合されている。
【００４９】
図６は、プラスチックコンポーネント３６を有する図２のコアの中央部分２２を示しており、それがプレート形状のウェブ３８とベースプレート４０を有している。中央部分２２の第１の端縁セクション３２、中央セクション３０及び第２の端縁セクション３４が、プレート形状のウェブ３８の透孔内に締めつけて固定されている。
【００５０】
図７は、プラスチックコンポーネント３６を単独で示している。プレート形状のウェブ３８は、ベースプレート４０の溝５０内に収容されており、その溝は図１０において見られる。溝５０の寸法は、プレート形状のウェブ３８の寸法に、特に厚みに、適合されているので、プレート形状のウェブ３８はたとえば溝５０内に締めつけて収容される。
【００５１】
図８と図９は、プレート形状のウェブ３８のみを、２つの異なる視線方向から示している。
【００５２】
本発明に係るコア１２もしくは本発明に係る誘導性コンポーネント１０によって、自動化して形成すべき、そしてまた自動化して加工すべき誘導性コンポーネントを提供することが可能である。この種の本発明に係る誘導性コンポーネントは、機械的な視点において、フェライトから一体的に形成された中央部分を有する従来の誘導性コンポーネントと同じ高さで、あるいはずっと高く、負荷をかけることができる。磁気的な観点においては、中央部分における分路を、プラスチックからなるプラスチックコンポーネント３６、特にプレート形状のウェブ３８によって、阻止することができる。プラスチックを適切に選択する場合に、磁気的な分路の大きさを、プラスチックコンポーネント３６のプレート形状のウェブ３８によって所望の値に調節することができる。そのためにたとえば、プレート形状のウェブ３８を形成する際に、フェライト粉末をプラスチックへ混合することができる。
【００５３】
電気的な視点において、本発明に係る誘導性コンポーネントの特性は、同様にプラスチックコンポーネント３６のプレート形状のウェブ３８のプラスチックを選択することによって、調節することができる。寄生浮遊容量の大きさは、プレート形状のウェブ３８のプラスチックの誘電率によって調節することができ、たとえば誘導性コンポーネント１０の共振周波数点をシフトさせるために使用することができる。それが最終的に、周波数を介して見て、様々なインピーダンス推移をもたらす。
【００５４】
図１１は、本発明に係る誘導性コンポーネントの簡略化された等価回路を示している。等価回路は、互いに対して並列に接続された２つの支線を有している。右の支線には、まずインダクタンスＬが記入されており、それは、使用されるコイルのパラメータにより、特に巻き線の数によって定められている。インダクタンスに対して直列に、交流電流抵抗ＡＣＲが記入されている。この交流電流抵抗ＡＣＲは、誘導性コンポーネントに印加される信号の周波数に依存している。右の支線内で同様にインダクタンスに対して直列に直流電流抵抗ＤＣＲ、言い換えると誘導性コンポーネントのオーム抵抗が記入されており、それは特にコイルのために使用される材料及びその横断面とそのワイヤ長さによって定められている。
【００５５】
図１１の等価回路の左の支線には、容量Ｃが記入されている。この容量Ｃは、誘導性コンポーネントの浮遊容量を表している。この浮遊容量は、主として誘導性コンポーネントの２つのコイルの間に形成される。本発明に係るコンポーネントにおいて、２つのコイルの間にプラスチックコンポーネント３６が挿入されている：図１を参照。それによってプラスチックコンポーネント３６の誘電率Ｅｒを介して、本発明に係る誘導性コンポーネントの浮遊容量Ｃを調節することができる。
【００５６】
しかしまた、図１１に示される等価回路は、共振回路でもある。プラスチックコンポーネント３６のための材料の選択を介して、言い換えると、プラスチックコンポーネント３６のプラスチックの誘電率の選択を介して、浮遊容量Ｃの大きさとそれに伴って本発明に係る誘導性コンポーネントの共振周波数も、調節することができる。またそれによって、本発明に係る誘導性コンポーネントの作業領域も、フレキシブルに変化させることができる。
【図１】
2021512500.tif 000003
【図２】
2021512500.tif 000004
【図３】
2021512500.tif 000005
【図４】
2021512500.tif 000006
【図５】
2021512500.tif 000007
【図６】
2021512500.tif 000008
【図７】
2021512500.tif 000009
【図８】
2021512500.tif 000010
【図９】
2021512500.tif 000011
【図１０】
2021512500.tif 000012
【図１１】
2021512500.tif 000013
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
少なくとも１つの第１のサイド部分、中央部分及び第２のサイド部分を有する誘導性コンポーネント用のコアであって、前記中央部分が、中央セクション、前記中央セクションに対して平行に配置された第１の端縁セクションと、前記中央セクションに対して平行に配置された第２の端縁セクションとを有しており、前記中央セクションが前記第１の端縁セクションと前記第２の端縁セクションの間に配置されている、ものにおいて、
少なくとも１つのプラスチックコンポーネントが設けられており、前記プラスチックコンポーネントが、前記プラスチックコンポーネントのために使用されるプラスチックの誘電率Ｅｒを適切に選択することによって誘導性コンポーネントの浮遊容量を調節し、かつ前記プラスチックコンポーネントのために使用されるプラスチックの相対的な透磁率μｒを適切に選択することによって誘導性コンポーネントの磁気的な分流を調節するために、少なくとも前記中央セクションと前記第１の端縁セクションとの間に、かつ／又は少なくとも前記中央セクションと前記第２の端縁セクションとの間に、設けられている、ことを特徴とする誘導性コンポーネント用のコア。
【請求項２】
前記プラスチックコンポーネントの誘電率が、１から５０の範囲内に、特に１から１０の範囲内にある、ことを特徴とする請求項１に記載のコア。
【請求項３】
前記プラスチックコンポーネントが、透磁率の小さいプラスチックから形成されている、ことを特徴とする請求項１又は２に記載のコア。
【請求項４】
前記プラスチックコンポーネントが、シリコン、ポリアミド、イソプレン又はラテックスから形成されている、ことを特徴とする請求項１から３のいずれか１項に記載のコア。
【請求項５】
プラスチックが、添加物として炭素、ガラス細粒、セラミック化合物及び／又はビスコースを含んでいる、ことを特徴とする請求項１から４のいずれか１項に記載のコア。
【請求項６】
前記プラスチックコンポーネントが、前記中央セクション、前記第１の端縁セクション及び前記第２の端縁セクションを互いに対して定められた相対位置に固定している、ことを特徴とする請求項１から５のいずれか１項に記載のコア。
【請求項７】
前記プラスチックコンポーネントが、前記中央部分の前記中央セクションを、前記中央セクションの長さの少なくとも一部にわたって包囲している、ことを特徴とする請求項１から６のいずれか１項に記載のコア。
【請求項８】
前記プラスチックコンポーネントが、プレート形状のウェブとして形成されており、前記ウェブが前記中央部分の前記中央セクション、前記第１の端縁セクション及び前記第２の端縁セクションに対して垂直に配置されており、かつ前記中央部分の前記中央セクション、前記第１の端縁セクション及び前記第２の端縁セクションを収容するための３つの透孔を有している、ことを特徴とする請求項１から７のいずれか１項に記載のコア。
【請求項９】
前記３つの透孔の第１のものが、前記中央部分の前記中央セクションの横断面に、前記３つの透孔の第２のものが、前記第１の端縁セクションの横断面に、そして前記３つの透孔の第３のものが、前記第２の端縁セクションの横断面に、適合されている、ことを特徴とする請求項８に記載のコア。
【請求項１０】
前記中央部分の前記中央セクション、前記第１の端縁セクション及び／又は前記第２の端縁セクションが、それぞれの透孔内に締めつけ固定されている、ことを特徴とする請求項９に記載のコア。
【請求項１１】
前記第１のサイド部分と前記第２のサイド部分が、一般的に、文字Ｅの形状に似た横断面を有している、ことを特徴とする請求項１から１０のいずれか１項に記載のコア。
【請求項１２】
前記第１のサイド部分と前記第２のサイド部分が、Ｅコア、ＰＱコア、ＥＴＤコア又はＲＭコアとして形成されている、ことを特徴とする請求項１１に記載のコア。
【請求項１３】
前記プラスチックコンポーネントがベースプレートを有しており、前記ベースプレートからプレート形状のウェブが垂直に張り出しており、前記ベースプレートは、前記コアの前記第１のサイド部分と前記第２のサイド部分を固定するために設けられている、ことを特徴とする請求項１から１２のいずれか１項に記載のコア。
【請求項１４】
前記ベースプレートのプレート形状のウェブとは逆の側に、固定手段、特に係止手段又はクリップ手段が設けられている、ことを特徴とする請求項１３に記載のコア。
【請求項１５】
請求項１から１４のいずれか１項に記載のコアと、前記中央部分の前記中央セクションを少なくとも部分的に包囲する少なくとも１つのコイルとを有する誘導性コンポーネント。
【請求項１６】
前記誘導性コンポーネントの定められた共振周波数を得るために、前記プラスチックコンポーネントのプラスチックの誘電率が、コイルのインダクタンスに合わせられている、ことを特徴とする請求項１５に記載の誘導性コンポーネント。
【国際調査報告】
2021512500.tif 000014
2021512500.tif 000015
2021512500.tif 000016
2021512500.tif 000017
2021512500.tif 000018